(57)【要約】【課題】空気中の微粒子を帯電し、その下流側に設けられ、接地された金属繊維製フィルタで帯電した微粒子を引き寄せ捕捉する静電気式の空気浄化装置において、微粒子が金属繊維製フィルタの金属繊維表面に吸着すると、すぐに電荷が接地側に流れることを抑制することで、微粒子を静電気力で金属繊維表面に保持し続け、径が０．５μｍ以下の微粒子であっても捕捉可能な空気浄化装置を提供する。【解決手段】空気浄化装置の流路中に、高電圧が印加され放電して気体中の粒子群に帯電させる放電部と、この放電部の下流側に設けられ、金属繊維を絡めて綿状に形成されると共に電気的に接地され帯電した粒子群を静電気力で捕捉するフィルタ部とを有する空気浄化装置において、前記金属繊維の表面に半導体皮膜を形成する。【選択図】図１
2016002545.tif 000002
【特許請求の範囲】
【請求項１】
空気浄化装置の流路中に、高電圧が印加される放電針及び又は放電線を具備し該放電針及び又は放電線から放電して気体中の粒子群に帯電させる放電部と、該放電部の下流側に設けられ、金属繊維を絡めて綿状に形成されると共に電気的に接地され前記帯電した粒子群を静電気力で捕捉するフィルタ部とを有する空気浄化装置において、前記金属繊維の表面に半導体皮膜を形成したことを特徴とする空気浄化装置。
【請求項２】
前記フィルタ部の金属繊維をアルミニウム又はアルミニウム合金製とすると共に、前記半導体を酸化チタンとし、該酸化チタンを低温高速溶射法によって金属繊維表面に成膜したことを特徴とする請求項１記載の空気浄化装置。
【請求項３】
前記フィルタ部の下流側に、光触媒を溶射した金属繊維を絡めて不織布状に形成さした第２のフィルタ部と、該第２のフィルタ部に光を照射して前記光触媒の酸化還元反応を惹起させる光源部とを設けたことを特徴とする請求項１記載の空気浄化装置。
【発明の詳細な説明】
【技術分野】
【０００１】  この発明は、微粒子を帯電させ、捕捉する静電式の空気浄化装置に関する。
【背景技術】
【０００２】  従来、空気浄化装置の入口側において１０ＫＶ程度の高電圧が印加された放電針及び又は放電線を設けて空気中の微粒子を帯電し、この帯電した粒子を下流側に設け接地されたフィルタ等に静電気力で引き寄せて、微粒子を捕捉する静電気式の空気浄化装置が知られている。
【先行技術文献】
【特許文献】
【０００３】
【特許文献１】特開昭５７−１５０４５７号公報
【特許文献２】特開平１−３１０７５１号公報
【特許文献３】特開平６−１５４６５１号公報
【特許文献４】特開２０１２−１５４６２１号公報
【発明の概要】
【発明が解決しようとする課題】
【０００４】  この静電式の空気浄化装置は、帯電した微粒子が、接地されたフィルタに静電気力でフィルタ繊維表面に引き寄せられ吸着すると、微粒子の電荷がすぐに接地側に流れ、微粒子はフィルタ繊維との分子間引力で物理的に保持される。【０００５】  この分子間引力は、微粒子のサイズ（正確には質量だが、空気中に漂う微粒子の場合、サイズと見なすことができる）に依存し、微粒子のサイズが大きければ分子間引力が大きく、サイズが小さければ分子間引力が小さい特性がある。【０００６】  従って、例えば径が０．５μｍ以下の微粒子だと、物理的にフィルタ繊維に保持された微粒子が気流により繊維表面から剥れ、空気浄化装置出口から放出されてしまう。【０００７】  本発明が解決しようとする課題は、微粒子が金属繊維表面に吸着すると、すぐに電荷が接地側に流れることを抑制することで、微粒子を静電気力でフィルタ繊維表面に保持し続け、径が０．５μｍ以下の微粒子であっても捕捉可能な空気浄化装置を提供することを目的とする。
【課題を解決するための手段】
【０００８】  前記目的に沿う第１の発明に係る空気浄化装置は、空気浄化装置の流路中に、高電圧が印加される放電針及び又は放電線を具備し該放電針及び又は放電線から放電して気体中の粒子群に帯電させる放電部と、
該放電部の下流側に設けられ、金属繊維を絡めて綿状に形成されると共に電気的に接地され前記帯電した粒子群を静電気力で捕捉するフィルタ部とを有する空気浄化装置において、前記金属繊維の表面に半導体皮膜を形成したことを特徴としている。【０００９】  第１の発明に係る空気浄化装置において、前記フィルタ部の金属繊維をアルミニウム又はアルミニウム合金製とすると共に、前記半導体を酸化チタンとして、該酸化チタンを低温高速溶射法によって金属繊維表面に成膜することが好ましい。【００１０】  第１の発明に係る空気浄化装置において、前記フィルタ部の下流側に、光触媒を溶射した金属繊維を絡めて不織布状に形成さした第２のフィルタ部と、該第２のフィルタ部に光を照射して前記光触媒の酸化還元反応を惹起させる光源部とを設けることが好ましい。
【発明の効果】
【００１１】  本発明によれば、前記放電部からの放電で帯電した微粒子が、静電気力でフィルタ部の金属繊維表面に捕捉されるが、金属繊維表面に半導体皮膜を形成して微粒子の電荷が接地側に流れることを抑制、微粒子の帯電状態が維持されるので、通常の微粒子は勿論、径が０．５μｍ以下の微粒子も静電気力で金属繊維表面に強く捕捉され続け、空気浄化装置内の気流によって金属繊維表面から剥れることが無く、径が０．５μｍ以下の微粒子も確実に捕捉できる高性能の空気浄化装置を得ることができる。【００１２】  しかも金属繊維を絡めて綿状に形成したフィルタ部を用いているので、空気が通過しやすくて圧損が小さく、微粒子が静電気力で引き寄せられて付着できる金属繊維のトータル表面積を広くでき、大量の空気を浄化できる。【００１３】  フィルタ部の金属繊維をアルミニウム又はアルミニウム合金製とすると共に、前記半導体を酸化チタンとして、該酸化チタンの粒子を低温高速溶射法によって金属繊維表面に成膜することで、酸化チタン粒子がアルミニウム又はアルミニウム合金製金属繊維にアンカー効果によって食い込み酸化チタンが成膜するので、微粒子や超微粒子がフィルタ部に目詰まりしてこれを除去するために水洗いやエアーブローしても酸化チタン皮膜が剥れることが無く耐久性に優れる。【００１４】  更に、前記フィルタ部の下流側に、光触媒を溶射した金属繊維を絡めて不織布状に形成した第２のフィルタ部と、該第２のフィルタ部に光を照射して前記光触媒の酸化還元反応を惹起させる光源部とを設けることで、放電部で発生したオゾンと光触媒の相乗効果で臭気成分やウィルスなどを第２のフィルタを通過する間で強力に分解、消臭、殺菌できるうえ、オゾンを光触媒の作用で分解することができ、空気浄化装置から有害なオゾンが空気浄化装置の外部に放出されることを防止できる。
【図面の簡単な説明】
【００１５】
【図１】本発明の実施の形態１に係る空気浄化装置の模式図
【図２】実施の形態１に係る空気浄化装置の模式図
【図３】実施の形態１における第１のフィルタの外観斜視図
【図４】同、第１のフィルタの断面図
【図５】同、金属繊維の断面図
【図６】実施の形態１における第２のフィルタの外観斜視図
【図７】同、第２のフィルタの断面図
【図８】同、金属繊維の断面図
【図９】実施の形態１における微粒子の捕捉状況を示すグラフ
【発明を実施するための形態】
【００１６】  以下、本発明の実施の形態における空気浄化装置について、図面を参照しながら説明する。尚、本発明は以下に説明する実施の形態に限定されるものではない。
【００１７】  （実施の形態１）
本発明空気浄化装置は、図１に示すように気体の入口１１と出口１２を備えた空気浄化装置１０のケーシング１３内の入口１１側には複数本の放電線１４を具備した放電部Ａが設けられている。
【００１８】  放電部Ａの放電線１４は例えば０．３φのステンレス鋼線製で、ケーシング１３と絶縁されて数センチメートル間隔で複数本張設され、それぞれの放電線１４には５ＫＶから１０ＫＶの電圧Ｖ１、好ましくは８ＫＶが印加されている。
この電圧Ｖ１が５ＫＶより低いと微粒子への帯電が不十分で後述する電極板部Ｂや第１のフィルタ部Ｃでの微粒子の捕捉率が低下し、１０ＫＶより高くなると放電線１４から放電現象が発生してノイズが周辺機器へ影響を及ぼすうえ、大量にオゾンが発生しすぎて何れも好ましくない。
【００１９】  放電部Ａの下流側には前記放電部Ａの印加電圧Ｖ１より数ＫＶ低い電圧、この例では５ＫＶの電圧Ｖ２が印加された第１のプレート１５ａと、接地された第２のプレート１５ｂを交互に複数枚設けて、これらのプレート１５ａ、１５ｂ間に電界を形成する電極板部Ｂが設けられる。
【００２０】  第１のプレート１５ａ及び第２のプレート１５ｂは耐蝕性に優れたステンレス板製で、前後方向に５０〜１００ｍｍの長さで２０〜５０ｍｍ間隔で交互に夫々３〜５枚設けている。
【００２１】  電極板部Ｂの下流側には、図３、図４に示すように、前後面をパンチングメタル、エキスパンドメタル、金網などの金属製の多孔板１６で塞がれた断面コの字形状を呈した枠体１７内に、表面に半導体皮膜１８ａが施された金属繊維１８ｂを絡めて綿状に形成された第１のフィルタ１８が収納されており、これら多孔板１６、枠体１７、第１のフィルタ１８などで第１のフィルタ部Ｃが形成される。
【００２２】    この枠体１７は前後方向１０〜２０ｍｍ幅で、例えば耐蝕性に優れたステンレスなどの金属板製で、アース線を介して電気的に接地されており、この枠体１７に収納された第１のフィルタ１８もこの枠体１７に接触されることから電気的に接地される。
【００２３】  多孔板１６は例えば耐蝕性に優れたステンレス製で、開孔率は５０〜９５％のものが好適に用いられる。多孔板１６の開孔率が５０％より小さくなるにつれ、第１のフィルタ１８の露出が小さくなり、単位時間当たりに第１のフィルタ１８を通過できる空気の量が少なくなって、微粒子の捕捉率が低下する傾向があり、９５％より大きくなるにつれ、多孔板１６の構造強度が弱くなり、外力等による破損等が発生し易くなる傾向があり、いずれも好ましくない。
【００２４】  多孔板１６の１つの網目の目開き面積は０．５〜５０ｍｍ２のものが好適に用いられる。網目の目開き面積が０．５ｍｍ２より小さくなるにつれ、目が細かくなって空気が通過し難くなり、多孔板１６での目詰まりが発生し易くなる傾向があり、５０ｍｍ２より大きくなるにつれ、網目が粗くなって第１のフィルタ１８の金属繊維１８ｂが外部にはみ出る傾向があり、後述するように半導体皮膜を金属繊維１８ｂ表面に形成する際や、長期間の使用によって微粒子などが金属繊維１８ｂに付着して目詰まりしたときに第１のフィルタ１８を水洗いやエアーブローした際に金属繊維１８ｂが流出してしまう不都合が生じ、いずれも好ましくない。
【００２５】  この第１のフィルタ１８は平均直径が３０〜２００μｍ、好ましくは１０〜１００μｍのアルミニウム繊維或いはアルミニウム合金繊維を綿状にした金属繊維１８ｂの集合体で、目付け量は１，０００〜２０，０００ｇ／ｍ２、好ましくは５，０００ｇ／ｍ２で、空隙率が３０〜８０％、好ましくは６０％であって、金属繊維１８ｂの平均直径が３０μｍより細くなるにつれ、金属繊維１８ｂの強度が弱くなり、第１のフィルタ１８の耐久性が低下すると共に歩留が低下する傾向があり、２００μｍより太くなるにつれ、金属繊維１８ｂの強度は強くなるが、空隙率や単位体積当りの表面積が低下して空気が通過し難くなり、いずれも好ましくない。
【００２６】  また、目付量が１，０００ｇ／ｍ２より少なくなるにつれ、単位体積当りの金属繊維１８ｂの量が少なくなり、空気中の微粒子が捕捉されにくくなる傾向があり、２０，０００ｇ／ｍ２より多くなるにつれ、単位面積当りの金属繊維１８ｂの量が多くなり、空気が通りにくくなるうえ目詰まりが発生し易くなる傾向があり、いずれも好ましくない。
【００２７】  半導体皮膜１８ａを形成する半導体とは、本発明では電気をよく通す電気伝導体と電気を通さない絶縁体との中間的な電気伝導性を有する物質を指し、１〜１００ＭΩの抵抗値を有する酸化亜鉛、酸化スズ、酸化チタンなどの酸化物半導体や、窒化アルミニウムなどの窒化物半導体などが挙げられる。
【００２８】  そして、金属繊維１８ｂ集合体を枠体１７内に収納し多孔板１６で塞いだ状態で、半導体粒子を混合した水スラリーを３００〜１，５００℃程度、好ましくは７００℃のフレーム温度で８００〜２，０００ｍ／秒の低温高速溶射を行って、金属繊維１８ｂの表面に厚みが０．５〜１０μｍ、好ましくは数μｍの半導体皮膜１８ａを形成する。
【００２９】  半導体皮膜１８ａの厚みが０．５μｍより薄くなるにつれ、半導体皮膜１８ａの抵抗値が低くなって帯電している微粒子の電荷が接地側に流れやすくなって微小な微粒子の静電力による保持力がすぐに弱まり、１０μｍより厚くなるにつれ、半導体皮膜１８ａの抵抗値が高くなりすぎて金属繊維１８ｂが接地状態にならず、帯電した微粒子が金属繊維１８ｂ間を静電気力で引き寄せられずに通過してしまう傾向になるうえ、半導体皮膜１８ａが脆くなるので、何れも好ましくない。
【００３０】  第１のフィルタ部Ｃの金属繊維１８ｂをアルミニウム又はアルミニウム合金製とすると共に、半導体の粒子を低温高速溶射法によって金属繊維１８ｂの表面に成膜することで、半導体粒子がアルミニウム又はアルミニウム合金製繊維にアンカー効果によって食い込み成膜するので、半導体皮膜１８ａが金属繊維１８ｂ表面に強固に形成され、微粒子がフィルタ部に目詰まりしてこれを除去するために水洗いやエアーブローしても半導体皮膜１８ａが金属繊維１８ｂ表面から剥れることが無く耐久性に優れ、好ましい。
【００３１】  半導体材料として、溶射の際のフレーム温度で物性の変化が小さい酸化物半導体や窒化物半導体を用いるのが好ましく、酸化物半導体として、放電部Ａで発生したオゾンを分解できる酸化チタンを用いるのが好ましい。
【００３２】    第１のフィルタ部Ｃの下流側には、第１のフィルタ部Ｃと間隔をあけて、厚板状の第２のフィルタ部Ｄが設けられている。
【００３３】  第２のフィルタ部Ｄは図５、図６に示すように、アルミニウム又はアルミニウム合金製で表面に酸化チタン等の光触媒層１９ａが形成された金属繊維１９ｂを絡めて不織布状に形成された第２のフィルタ１９をパンチングメタル、エキスパンドメタル、金網などの金属製網状板２０で四隅をスポット溶接２１などでサンドイッチ状に挟着固定して形成される。
【００３４】  この第２のフィルタ１９は平均直径が３０〜２００μｍ、好ましくは１０〜１００μｍのアルミニウム或いはアルミニウム合金の金属繊維１９ｂの集合体で、目付け量が３００〜１０，０００ｇ／ｍ２、空隙率が５０〜９０％の不織布であることが好ましく、金属繊維１９ｂの平均直径が３０μｍより細くなるにつれ、金属繊維１９ｂの強度が弱く溶射による光触媒層１９ａの成膜が難しいうえ、第２のフィルタ１９の耐久性が低下すると共に歩留が低下する傾向があり、２００μｍより太くなるにつれ、金属繊維１９ｂの強度は強くなるが、空隙率や単位体積当りの表面積が低下して空気が通過し難くなり、いずれも好ましくない。
【００３５】  又、目付量が３００ｇ／ｍ２より少なくなるにつれ、単位体積当りの金属繊維１９ｂの量が少なくなり、空気中の微粒子や細菌、ウィルス、悪臭物質等の処理対象物質が通過し易く、処理対象物質の捕捉・分解が難しくなる傾向があり、１００００ｇ／ｍ２より多くなるにつれ、単位面積当りの金属繊維１９ｂの量が多くなり、目詰まりが発生し易くなる傾向があり、いずれも好ましくない。
【００３６】  網状板２０はステンレスなどの耐蝕性に優れた金属製で、その開孔率は５０〜９０％のものが好適に用いられる。網状板２０の開孔率が５０％より小さくなるにつれ、第２のフィルタ１９の露出が小さくなり、単位時間当たりに第２のフィルタ１９を通過できる空気の量が少なくなって、微粒子の捕捉率が低下する傾向があり、９０％より大きくなるにつれ、網状板２０の構造強度が弱くなり、外力等による破損等が発生し易くなる傾向があり、いずれも好ましくない。
【００３７】  網状板２０の１つの網目の目開き面積は０．５〜５００ｍｍ２のものが好適に用いられる。網目の目開き面積が０．５ｍｍ２より小さくなるにつれ、目が細かくなって空気が通過し難くなり、網状板２０での目詰まりが発生し易くなる傾向があり、５００ｍｍ２より大きくなるにつれ、網目が粗くなって金属繊維１９ｂが外部にはみ出る傾向があり、いずれも好ましくない。
【００３８】  また、第２のフィルタ１９の金属繊維１９ｂの表面には、光触媒層１９ａが形成されている。この光触媒層１９ａは、不織布状に形成された第２のフィルタ１９が網状板２０でサンドイッチ状に挟着固定された状態で、例えば可視光で光触媒反応を呈するように、水に硫黄原子を結晶格子中にドープしたアナターゼ型二酸化チタン粒子や、鉄、銅、クロム、ニッケルの水酸化物、オキシ水酸化物若しくは酸化物の形態で担持させたルチル型酸化チタン粒子を、或いは紫外光で効率よく光触媒反応を呈するようにアナターゼ型二酸化チタン粒子を、水に混合してスラリー状にし、この水スラリーを、３００〜１，５００℃程度、好ましくは７００℃の低いフレーム温度で８００〜２，０００ｍ／秒の高速溶射を行うことで、金属繊維１９ｂ表面に形成される。
【００３９】  ウィルス、細菌、カビなどの殺菌性能を第２のフィルタ部Ｄに付与する目的で、銀、銅などの殺菌効果を有する金属や金属酸化物粒子を光触媒粒子と一緒に水スラリーに混合して低温高速溶射するのが好ましい。
【００４０】  第１のフィルタ部Ｃと第２のフィルタ部Ｄの間には、第２のフィルタ部Ｄに可視光や紫外光を照射して第２のフィルタ表面にコーティングされた光触媒を励起し光触媒反応を生じさせる発光管２２や発光ダイオードなどの光源部Ｅが設けられている。
【００４１】  第２のフィルタ部Ｄの下流側には多翼ファン２３などの気流発生部Ｆが設けられ、多翼ファン２３が回転することにより微粒子が空気と共に入口１１より空気浄化装置１０内部に流入、放電部Ａ、電極板部Ｂ、第１のフィルタ部Ｃ、第２のフィルタ部Ｄを通過し、微粒子が捕捉され浄化された空気が出口１２より排気される。
【００４２】  以上のように構成された実施の形態１における空気浄化装置は、放電部Ａからの放電で微粒子や細菌類がプラスに帯電し、微粒子は静電効果によって電極板部Ｂの接地された第２のプレート１５ｂに引き寄せられて捕捉されるが、サイズが０．５μｍ以下の微小な微粒子は帯電している電荷が少なく、大半は第２のプレート１５ｂに引き寄せられることなく第１のプレート１５ａと第２のプレート１５ｂ間を通過し、第１のフィルタ部Ｃに到達する。
【００４３】  電極板部Ｂに捕捉されなかった微小な微粒子は、静電効果、拡散効果、さえぎり効果などにより半導体皮膜１８ａが施された金属繊維１８ｂ表面に付着する。そして帯電した微小な微粒子は、半導体皮膜１８ａの存在で帯電した電荷が接地側に流れることを抑制され長期間帯電した状態を維持するので、静電気力で第１のフィルタ１８に捕捉、保持され、気流によって第１のフィルタ１８から剥れされることが阻止される。
【００４４】  尚、臭気成分やウィルスなどは、光触媒の酸化還元効果及び放電部Ａで発生したオゾンと第２のフィルタの金属繊維１９ｂ表面に成膜された光触媒層１９ａとの相乗効果によって、第２のフィルタ１９を通過する間で強力に分解、消臭、殺菌される。
【００４５】  ここで、オゾンと光触媒との相乗効果について説明すると、光触媒に光が照射されれば、光触媒の伝導帯に電子が、価電子帯に正孔が夫々生成される。通常、臭気成分の分解に大きく寄与するのは正孔だが、正孔の多くは臭気成分と反応する前に電子と再結合し、消滅してしまう。
【００４６】  ここで、光触媒の近傍にオゾンがあると、オゾンは光触媒の表面で電子を受容し結合するので、正孔と電子との再結合を抑制することができ、光触媒の活性が高く保たれる。
【００４７】  一方、電子と再結合したオゾンは、その後の一連の反応の中でＯＨラジカルを生成する。このＯＨラジカルは強力な酸化作用を持つので、光触媒層１９ａ近傍に浮遊・存在するウィルス、細菌類、カビ、花粉等を強力に分解、殺菌し、臭い成分も分解する。
【００４８】  しかも、第２のフィルタ１９の金属繊維１９ｂ表面に成膜された光触媒層１９ａとの一連の反応によってオゾンが分解されるので、空気浄化装置１０の出口１２からオゾンが排気されることがない。
【実施例】
【００４９】  実施の形態１で示した空気浄化装置を作成し、微粒子の捕捉性能とオゾンの排出量を評価した。
【実施例１】  流速を０．５ｍ／秒、放電部Ａの印加電圧Ｖ１を１０ＫＶ、電極板部Ｂの印加電圧Ｖ２を５ＫＶの条件で、第１のフィルタ部を接地し、微粒子の粒子径と除去率を測定した。
又、流速を０．５ｍ／秒、放電部Ａ及び電極板部Ｂに電圧を印加しない条件で、微粒子の粒子径と除去率を測定した。
その結果を図９に示す。
図９により、電圧を印加した場合は０．３μｍの粒子径の微粒子を９７％、５μｍの粒子径の微粒子を９９％捕捉できた。
また、電圧を印加しない場合は０．３μｍの粒子径の微粒子はほとんど捕捉でず（１％未満）、５μｍの粒子径の微粒子は７６％捕捉することが判った。
又、空気浄化装置の出口においてオゾンの発生量を確認したところ、計測機の下限値以下で、検出されなかった。
【産業状の利用の可能性】
【００５０】  以上のごとく本発明の空気浄化装置は、半導体製造ライン、病院、公共施設、厨房設備、一般家庭などにおける空気浄化装置として利用できる。
【符号の説明】
【００５１】Ａ：放電部  Ｂ：電極板部  Ｃ：第１のフィルタ部  Ｄ：第２のフィルタ部
Ｅ：光源部  Ｆ：気流発生部
１０：空気浄化装置  １１：入口  １２：出口  １３：ケーシング
１４：放電線  １５ａ：第１のプレート  １５ｂ：第２のプレート
１６：多孔板  １７：枠体  １８：第１のフィルタ  １８ａ：半導体皮膜
１８ｂ：金属繊維  １９：第２のフィルタ  １９ａ：光触媒層
１９ｂ：金属繊維  ２０：網状板  ２１：スポット溶接  ２２：発光管
２３：翼竜ファン
【図１】
2016002545.tif 000003
【図２】
2016002545.tif 000004
【図３】
2016002545.tif 000005
【図４】
2016002545.tif 000006
【図５】
2016002545.tif 000007
【図６】
2016002545.tif 000008
【図７】
2016002545.tif 000009
【図８】
2016002545.tif 000010
【図９】
2016002545.tif 000011